(57)【要約】【課題】先端工具の突出長さを容易に調整することができる、先端工具長さ調整具を提供する。【解決手段】対象物に当接するベースを有する電動工具における先端工具の該ベースからの突出長さを調整するための、先端工具長さ調整具１であって、長さ方向に沿ってスライド孔２２を形成したスライド部２と、スライド部２の一方の端部に形成した頭部３と、スライド孔２２に沿ってスライド部２の長さ方向に摺動するスライダー４と、を有し、頭部３は、スライド部２の長さ方向と直交するボード当接面３１と、長さ方向と平行な挿通孔３２を有することを特徴とする、先端工具長さ調整具。【選択図】図１
2018192562.tif 000002
【特許請求の範囲】
【請求項１】
対象物に当接するベースを有する電動工具における先端工具の該ベースからの突出長さを調整するための、先端工具長さ調整具であって、
長さ方向に沿ってスライド孔を形成したスライド部と、前記スライド部の一方の端部に形成した頭部と、前記スライド孔に沿って前記スライド部の長さ方向に摺動するスライダーと、を有し、
前記頭部は、前記スライド部の長さ方向と直交するボード当接面と、前記長さ方向と平行な挿通孔を有することを特徴とする、先端工具長さ調整具。
【請求項２】
請求項１に記載の先端工具長さ調整具において、
前記スライド部は、前記長さ方向に形成したスライド溝を有し、
前記スライダーは、前記スライド溝内に配置するスライドブロックと、前記スライドブロックに形成したねじ孔に螺合する調整ねじと、からなり、
前記スライド孔は前記スライド溝の底面に形成し、
前記調整ねじの軸部は、前記スライド孔から前記スライドブロックに螺合して前記スライド溝から突出可能な長さであり、
前記挿通孔は前記スライド溝と連続することを特徴とする、先端工具長さ調整具。
【請求項３】
請求項１又は請求項２に記載の先端工具長さ調整具において、
前記頭部は、前記ボード当接面と平行なベース係合面を有するベース係合片を有することを特徴とする、先端工具長さ調整具。
【発明の詳細な説明】
【技術分野】
【０００１】
本発明は、リニューアル工事等において、例えば天井ボードを切断する際に用いる電動工具の先端工具の突出長さを調整するための、先端工具長さ調整具に関する。
【背景技術】
【０００２】
建物の内装リニューアル工事や耐震補強工事を行う際、天井ボードを解体することがよく行われる。
天井ボードは主に石膏ボードからなり、天井下地材（野縁）に釘やビス、接着剤等によって固定されているため、天井ボードは解体しやすい大きさに予め切断し、それから作業員がバールや手作業によって天井下地材から天井ボードを剥がすのが好ましい。
また、天井に点検口を設ける場合や空調機器等を増設する際にも、天井ボードの切断が必要となる。
従来、天井ボードの切断には、天井ボードに当接するベースを設けた電動工具が用いられる。切断に用いる先端工具は電動工具のチャックに取り付け、ベースの刃孔から突出している。
【発明の概要】
【発明が解決しようとする課題】
【０００３】
通常、天井ボードの上面には照明などの配線が施されている。
電動工具に取り付けた先端工具の突出長さが短すぎると天井ボードが切断できず、逆に長すぎると、天井ボードを貫通し、上面の配線を切断してしまうおそれがある。
従来、先端工具の突出長さの調整は、切断するボードの厚さをスケール等により計測し、ベースからの突出長さを計測した厚さになるように再度スケール等により計測しながら先端工具の後部を電動工具のチャックに挿入して行う。
この作業はスケールを二度合わせる必要があるため時間がかかり、施工効率が悪くなってしまう。
また、スケール等による計測を誤ると、先端工具の突出長さが短すぎたり長すぎたりしてしまう。
【０００４】
本発明は、先端工具の突出長さを容易に調整することができる、先端工具長さ調整具を提供することを目的とする。
【課題を解決するための手段】
【０００５】
上記目的を達成するためになされた本願の第１発明は、対象物に当接するベースを有する電動工具における先端工具の該ベースからの突出長さを調整するための、先端工具長さ調整具であって、長さ方向に沿ってスライド孔を形成したスライド部と、前記スライド部の一方の端部に形成した頭部と、前記スライド孔に沿って前記スライド部の長さ方向に摺動するスライダーと、を有し、前記頭部は、前記スライド部の長さ方向と直交するボード当接面と、前記長さ方向と平行な挿通孔を有することを特徴とする、先端工具長さ調整具を提供する。
本願の第２発明は、第１発明の先端工具長さ調整具において、前記スライド部は、前記長さ方向に形成したスライド溝を有し、前記スライダーは、前記スライド溝内に配置するスライドブロックと、前記スライドブロックに形成したねじ孔に螺合する調整ねじと、からなり、前記スライド孔は前記スライド溝の底面に形成し、前記調整ねじの軸部は、前記スライド孔から前記スライドブロックに螺合して前記スライド溝から突出可能な長さであり、前記挿通孔は前記スライド溝と連続することを特徴とする、先端工具長さ調整具を提供する。
本願の第３発明は、第１発明又は第２発明の先端工具長さ調整具において、前記頭部は、前記ボード当接面と平行なベース係合面を有するベース係合片を有することを特徴とする、先端工具長さ調整具を提供する。
【発明の効果】
【０００６】
本発明は、上記した課題を解決するための手段により、次のような効果の少なくとも一つを得ることができる。
（１）対象物の厚さに合わせてスライダーの位置を決め、それに合わせて先端工具の突出長さを調整するため、スケール等による計測が不要である。
（２）スケール等による計測が不要であるため、短時間に施工することができ、施工効率が高い。
（３）スケール等による計測ミスのおそれがない。
【図面の簡単な説明】
【０００７】
【図１】先端工具長さ調整具の説明図
【図２】先端工具長さ調整具による先端工具長さ調整の説明図（１）
【図３】先端工具長さ調整具による先端工具長さ調整の説明図（２）
【図４】先端工具の長さを調整した電動工具による天井ボードの切削状態の説明図
【図５】実施例２にかかる先端工具長さ調整具の説明図
【図６】実施例２にかかる先端工具長さ調整具により先端工具の長さを調整した電動工具による天井ボードの切削状態の説明図
【図７】実施例３にかかる先端工具長さ調整具の説明図
【発明を実施するための形態】
【実施例１】
【０００８】
以下、図面を参照しながら本発明の実施の形態について説明する。
【０００９】
＜１＞先端工具長さ調整具
本発明の先端工具長さ調整具１は、柱状のスライド部２と、スライド部２の一方の端部に形成した頭部３と、を有する（図１）。
【００１０】
＜２＞スライド部
スライド部２は、長さ方向に沿ってスライド溝２１を有する。また、スライド溝２１の底面には、スライド溝２１に沿った、スライド溝２１より幅の狭いスライド孔２２を有する。
スライド溝２１には、スライド溝２１内をスライド部２の長さ方向に摺動するスライダー４を収める。
【００１１】
＜３＞頭部
頭部３は、スライド部２のスライド溝２１を有する面に、スライド部２の長さ方向と直交するボード当接面３１を形成し、スライド部２の幅よりも大きく形成する。
また、頭部３は、スライド部２と逆側の端面にチャック当接面３４を形成し、チャック当接面３４からスライド部２の長さ方向と平行に、スライド溝２１内に貫通する挿通孔３２を有する。
さらに、頭部３は、ボード当接面３１の形成方向と直交する方向に突設するベース係合片３３を有する。
【００１２】
＜４＞スライダー
スライダー４は、スライド溝２１と略同幅でスライド溝２１内に収まり、スライド部２の長さ方向に摺動可能なスライドブロック４１と、スライドブロック４１に形成したねじ孔４１１と螺合する調整ねじ４２と、を有する。
調整ねじ４２は、スライドブロック４１のねじ孔４１１に螺合する軸部４２１と、ねじ頭部４２２とからなる。
調整ねじ４２は、軸部４２１をスライド部２のスライド孔２２側から挿通し、スライド溝２１内のスライドブロック４１と螺合する。
調整ねじ４２を締め込むことにより、軸部４２１の軸力によってねじ頭部４２２とスライドブロック４１とでスライド部２を挟み込み、調整ねじ４２とスライドブロック４１は固定される。このとき、螺合した軸部４２１がスライド溝２１から突出するように、軸部４２１の長さを設定する。
【００１３】
＜５＞調整方法
次に、先端工具長さ調整具１を用いた、先端工具長さの調整方法について説明する。
【００１４】
＜５．１＞スライダーおよび調整ねじの位置合わせ
切断対象となる天井ボードＢを、頭部３のボード当接面３１と、スライド溝２１から突出する、スライドブロック４１に螺合した調整ねじ４２の軸部４２１とで挟みこんだ状態で調整ねじ４２を締め込み、スライドブロック４１および調整ねじ４２を固定する（図２（ａ））。
このとき、ボード当接面３１と軸部４２１との間隔が天井ボードＢの厚さｔと等しい状態で、スライドブロック４１および調整ねじ４２が固定される（図２（ｂ））。
天井ボードＢを挟み込んだ状態で調整ねじ４２を締め込むだけの作業であり、短時間で、誰でも行うことができる。
【００１５】
＜５．２＞先端工具の長さ調整
調整ねじ４２を締め込んだ状態で、先端工具長さ調整具１を天井ボードＢから取り外す。
そして、先端工具長さ調整具１は、ドリルやエンドミル等の先端工具１０２を頭部３の挿通孔３２に挿通し、ベース１０１の刃孔１０３に頭部３を収めた状態で回転させて、頭部３のベース係合片３３をベース１０１に係合する（図３）。
ベース係合片３３の下面には、ボード当接面３１と平行なベース係合面３３１を形成する。ベース係合面３３１には磁石を埋設しておくと、先端工具長さ調整具１とベース１０１とが一体となる。この状態は、先端工具１０２が露出していないため、先端工具長さ調整具１がカバーとなり、先端工具１０２を取り付けた状態で電動工具１００を持ち運んでも安全である。
次に、頭部３のチャック当接面３４を電動工具１００のチャック１０４に当接させ、先端工具１０２の先端をスライドブロック４１に当接させながら、電動工具１００のチャックに固定する。
ベース１０１からの先端工具１０２の突出長さＬは、スライドブロック４１までの長さとなるためスライドブロック４１の大きさは予め設定しておく。大きさの異なるスライドブロック４１を複数用意し、必要となる突出長さＬに合わせて適宜スライドブロック４１を選択してもよい。
対象物となる天井ボードＢの厚さに合わせて位置決めされたスライドブロック４１に合わせて先端工具１０２の突出長さを調整するため、スケール等による計測は不要であり、短時間に施工することができ、施工効率が高くなる。
スライド部２には、チャック当接部３４をチャック１０４に当接した際のベース１０１の下面の位置を０とする目盛２３を予め設けておくことにより、例えば対象物に先端工具長さ調整具１を合わせることができない場合であっても、目盛２３に合わせて先端工具１０２の突出長さＬを調整することができる。
【００１６】
＜５．３＞切断
先端工具１０２の突出長さＬを調整した電動工具１００により、天井ボードＢを切断する（図４）。
突出長さＬが天井ボードＢの厚さｔよりも短い場合、先端工具１０２は天井ボードＢを貫通しない。先端工具１０２が天井ボードＢを貫通しないため、天井ボードＢ上面の配線等を傷つけるおそれがない。
そして、先端工具１０２がエンドミル状であれば突出長さＬの深さの切削溝が形成され、切削溝に沿って容易に天井ボードＢを切断することができる。
先端工具１０２の突出長さＬはスケール等により計測したものではないため、計測ミスのおそれがなく、長すぎて天井ボードＢから大幅に突出して配線等を傷つけたり、逆に短すぎて天井ボードＢが切断できないという問題が生じることがない。
【実施例２】
【００１７】
上記実施例１においては、先端工具１０２がドリルやエンドミルのため挿通孔３２はキリ穴としたが、挿通孔３２を溝状とすることにより、鋸等の平板状の先端工具１０２にも対応することができる（図５、図６）。
【実施例３】
【００１８】
上記実施例１、２においては、スライド部２にスライド溝２１を形成してスライドブロック４１を収めたが、スライド部２にはスライド孔２２のみを形成してもよい（図７）。
そして、スライダー４は、スライドブロック４１にスライド孔２２に挿通する軸部４２１を直接突設してナット４１２で固定する等、スライド孔２２に沿って摺動しつつ所定の位置で固定できる構造であればよい。
【符号の説明】
【００１９】
１      先端工具長さ調整具
２      スライド部
３      頭部
４      スライダー
１００  電動工具
【図１】
2018192562.tif 000003
【図２】
2018192562.tif 000004
【図３】
2018192562.tif 000005
【図４】
2018192562.tif 000006
【図５】
2018192562.tif 000007
【図６】
2018192562.tif 000008
【図７】
2018192562.tif 000009